(57)【特許請求の範囲】
【請求項１】
塵埃捕集室と電動送風機を内蔵した布団用清掃機本体と、屈曲自在のホースの一方に布団用清掃機本体と接続する接続具Ａを有し、前記ホースの他方に回動部を有する接続具Ｂを備えるホース体と、前記接続具Ｂに連結部を介して接続される操作用取手と、布団に付着した塵埃等を除去する為の布団清掃用吸込具を有し、前記布団用清掃機本体と前記ホース体、前記ホース体と前記布団清掃用吸込具のそれぞれが連通接続された布団用清掃機において、前記ホース体は、前記回動部を介し前記布団清掃用吸込具にたいして回動自在に接続されており、前記操作用取手と連結部の接合部分である根元部は前記回動部より被清掃面側に形成されており、前記接続具Ｂは、屈曲部を有していると共に、該屈曲部は、前記操作用取手よりも上方に位置していることを特徴とする布団用清掃機。
【請求項２】
ホース体は、回動部の回動により、操作用取手の左右側に移動可能であることを特徴とする請求項１記載の布団用清掃機。
【請求項３】
操作用取手及び回動部が、前記布団清掃用吸込具の進行方向の左右の略中央に形成されていることを特徴とする請求項１又は２記載の布団用清掃機。
【発明の詳細な説明】
【技術分野】
【０００１】
本発明は電動送風機により発生させた吸引風により、塵埃捕集する布団用清掃機について、特に布団等の寝具の比較的柔らかい被清掃面を操作性よく清掃することができる布団用清掃機に関するものである。
【背景技術】
【０００２】
従来より、操作性を向上させる為に、種々の改良が加えられ電気掃除機の吸引管であって、直線状に延びた把持部と、先端部に床面を清掃するための吸込口を有した先端管との間に吸引部を設け、この吸引部に可撓ホースを接続したもの（例えば、特許文献１参照）、塵挨を吸い込むための送風機を備えた掃除機本体と、この掃除機本体に取り付けられて掃除機本体内の吸引用通路と連通する吸引ホースと、この吸引ホースに取り付けられて吸引ホースと連通する手元ハンドル体と、この手元ハンドル体に取り付けられて手元ハンドル体と連通する接続管と、この接続管に取り付けられて接続管と連通する吸口体とを備えた電気掃除機において、前記手元ハンドル体は、前記接続管の中心軸線と合致する中心軸線をもち、前記接続管に接続される第１の管体と、この第１の管体と一体化され、前記第１の管体の中心軸線と所定の角度をなすようにその一部が上方に延びたグリップ部と、その一端に第１接続部をその他端に第２接続部を具備して、屈曲形成された第２の管体とを有し、前記第１接続部の中心軸線は、前記接続管の中心軸線および前記第１の管体の中心軸線と合致し、前記第１接続部が、前記第１の管体と回転可能に連結され、前記第２接続部の中心軸線は、前記第１接続部の中心軸線に対して下方に所定の角度をなし、前記第２接続部が、前記吸引ホースに接続されることを特徴とする電気掃除機（例えば、特許文献２参照）等が提案されていた。
【先行技術文献】
【特許文献】
【０００３】
【特許文献１】実開昭５８−８８９５３号公報
【特許文献２】特許第３２８６２５０号公報
【発明の概要】
【発明が解決しようとする課題】
【０００４】
しかしながら、上記特許文献１に記載の電気掃除機の吸引管は、可撓ホースが吸引部にたいして回動可能に装着されてあるが、可撓ホースは把持部の下方に形成されてあるので、電気掃除機の操作時に、使用者の足元等に可撓ホースが接触して、清掃作業を邪魔する事があった。また、上記特許文献２に記載の電気掃除機は、グリップ部が、第１の管体と一体化され、第１の管体の中心軸線と所定の角度をなすようにその一部が上方に延びていて、かつ、吸引ホースに接続される第２の管体が、下方に屈曲形成されてある為、上記特許文献１と同様に、電気掃除機の操作時に、使用者の足元等に可撓ホースが接触して、清掃作業を邪魔する事があった。
【課題を解決するための手段】
【０００５】
上記従来の課題を解決する為に、請求項１の発明は、塵埃捕集室と電動送風機を内蔵した布団用清掃機本体と、屈曲自在のホースの一方に布団用清掃機本体と接続する接続具Ａを有し、前記ホースの他方に回動部を有する接続具Ｂを備えるホース体と、前記接続具Ｂに連結部を介して接続される操作用取手と、布団に付着した塵埃等を除去する為の布団清掃用吸込具を有し、前記布団用清掃機本体と前記ホース体、前記ホース体と前記布団清掃用吸込具のそれぞれが連通接続された布団用清掃機において、前記ホース体は、前記回動部を介し前記布団清掃用吸込具にたいして回動自在に接続されており、前記操作用取手と連結部の接合部分である根元部は前記回動部より被清掃面側に形成されており、前記接続具Ｂは、屈曲部を有していると共に、該屈曲部は、前記操作用取手よりも上方に位置していることを特徴としている。上記特徴により、布団清掃用吸込具の操作時に、ホース体が使用者の手元に接触することが少ないため、布団等の清掃作業を邪魔する事なく、快適な操作性を実現できる。また、ホース体が過度に布団等に接触することもないため、擦れ摩擦により布団等を傷つけることや、ホース体表面の塵埃が布団等に付着することもなく、布団等を清潔に保つことができる。
【０００６】
請求項２の発明は、ホース体は、回動部の回動により、操作用取手の左右側に移動可能であることを特徴としている。従って、ホース体を操作用取手の右側や左側に移動させることができるため、使用者が右利きあるいは左利きであっても、ホース体が使用者の手元に接触することがなく、布団等の清掃作業を邪魔する事がない。また、使用者の作業環境に応じてホース体の位置を調整可能なため、操作性及び清掃効率が向上する。請求項３の発明は、操作用取手及び回動部が、前記布団清掃用吸込具の進行方向の左右の略中央に形成されていることを特徴としている。従って、布団清掃用吸込具をバランス良く操作できるため、長時間の作業でも使用者への負担を軽減できる。特に、凹凸のある布団の表面を清掃する際に、余分な力を必要とせず軽く快適な操作性を実現できる。
【発明の効果】
【０００７】
請求項１の発明では操作用取手の根元部がホース体の回動部より被清掃面側に形成されているため、布団清掃用吸込具の操作時に、ホース体が使用者の手元に接触する事が少なく、快適な操作性を実現できる。
【０００８】
また、請求項１及び２の発明では、ホース体を操作用取手の右側や左側に移動させることができ、ホース体が使用者の手元に接触することがなく、布団等の清掃作業を邪魔する事がない。
【０００９】
請求項３の発明では、操作用取手及び回動部が、布団清掃用吸込具の進行方向の左右の略中央に形成されているため、操作時のバランスが良く、長時間の作業でも使用者への負担を軽減でき、快適な操作性を実現できる。
【図面の簡単な説明】
【００１０】
【図１】本発明に係る布団用清掃機の正面図である。
【図２】本発明に係る布団用清掃機の平面図である。
【図３】本発明に係る布団用清掃機の他の実施形態の平面図である。
【図４】本発明に係る布団清掃用吸込具を表す図２のＡ−Ａ断面図である。
【発明を実施するための形態】
【００１１】
以下に、本発明の一実施例の形態について、布団清掃用吸込具と、該布団清掃用吸込具がホース体を介して布団用清掃機本体に連通接続した状態を示す布団用清掃機の構成を、図１乃至図４を用いて説明する。
【００１２】
本発明の布団用清掃機１は、塵埃捕集室１２と電動送風機２２を内蔵した布団用清掃機本体２と、屈曲自在のホース１５の一方に布団用清掃機本体２と接続する接続具Ａ１７を有し、ホース１５の他方に回動部３４を有する接続具Ｂ４を備えるホース体５と、操作用取手１４と、布団Ｆに付着した塵埃等を除去する為の布団清掃用吸込具３を有し、布団用清掃機本体２とホース体５、ホース体５と布団清掃用吸込具３のそれぞれが連通接続されている。また、ホース体５は、回動部３４を介し布団清掃用吸込具３にたいして回動自在に接続されており、操作用取手１４の根元部２４は回動部３４より被清掃面側に形成されている。
【００１３】
また、布団清掃用吸込具３は吸込具ケース４３、接続管６、一対の走行車輪７、駆動体８、回転衝撃体５４及び回転清掃体６４から構成されている。吸込み具ケース４３は上ケース１３と、前方底面に横広の吸込口２３を有する下ケース３３から成る横幅が広い略直方体に形成されており、接続管６は一端が後述する塵埃通路４４に連通し、他端が吸込具ケース４３の後方に突出するよう吸込具ケース４３に接続されている。走行車輪７は吸込具ケース４３の底面後方に形成され、回転衝撃体５４と回転清掃体６４は電動機より成る駆動体８と、駆動体８の回転力を所定の回転数及び所定の回転方向にて伝達するギアやベルト等から成る連結体（図示せず）に連動し、下ケース３３の吸込口２３近傍に形成されている。また、下ケース３３の底面には概そり状の凸部である滑り脚部５３が形成されているため、布団清掃用吸込具３の操作時に布団Ｆ等との摩擦力を低減できる。また、下ケース３３の吸込口２３にはリブ状の吸着規制片１１が形成されているため、布団等の吸付きを防止できると共に、回転衝撃体５４や回転清掃体６４の回転による布団等の巻き込みを防止できる。
【００１４】
また、接続具Ｂ４は、屈曲部１９を有する回転エルボ９と連結部１６を有する操作用取手１４とから形成されている。回転エルボ９の一端はホース１５に接続され、他端は回動部３４を介して操作用取手１４の連結部１６に接続され、連結部１６の他の一端は接続管６に連通接続されている。ここで、回転エルボ９の屈曲部１９は略直角に形成されているため、回転エルボ９を回動させることにより、図２及び図３の如く、布団清掃用吸込具３の進行方向の左右側にホース体を移動させることができる。その為、図２においては、布団清掃用吸込具３の進行方向の右側のスペースを、図３においては、布団清掃用吸込具３の進行方向の左側のスペースを空けることが可能となり、使用者の好みに合わせて布団清掃用吸込具３を操作することが可能となる。また、操作用取手１４の根元部２４は連結部１６との接合部分であり、回動部３４より布団Ｆ側に形成されている。その為、操作時のバランスが良く、長時間の操作でも使用者への負担を軽減でき、快適な操作性を実現できる。
【００１５】
また、布団用清掃機本体２は塵埃捕集室１２と電動送風機２２を内蔵しており、ホース体５の接続具Ａ１７に接続されている。また、布団用清掃機本体２は、略円盤形状に形成されており、上部にハンドル１０が設けられ、底面は略曲面状の滑り部３２が形成されている。従って、布団用清掃機本体２の移動や回転の布団Ｆ等にたいする摩擦力を低減させることができる。また、布団用清掃機本体２の上面には切スイッチ６２と強弱切替えスイッチ７２からなる本体スイッチ４２、及びＬＥＤ５２が形成されている。
【００１６】
また、ホース１５は、回動部３４を介し布団清掃用吸込具３にたいして回動可能に接続されると共に、操作用取手１４の根元部２４は回動部３４より布団Ｆ等の被清掃面側に形成されているため、ホース１５の回動時においても、操作用取手１４が、ホース１５の邪魔になることがない。
【００１７】
次に本発明の使用状態について説明する。布団用清掃機１を構成する布団清掃用吸込具３及び布団用清掃機本体２を、布団Ｆ上に置き、本体スイッチ４２の強弱切替えスイッチ７２をＯＮにすることで、電動送風機２２と駆動体８はそれぞれ運転を開始し、電動送風機２２は吸引風を発生させ、駆動体８は回転衝撃体５４と回転清掃体６４を回転させる。また、ホース１５は布団清掃用吸込具３にたいして回動可能に接続されているため、布団用吸込具３の進行方向の左右側に回動させて使用することで、ホース１５が使用者の手元に接触する事がなく、布団Ｆの清掃作業の邪魔にならないように使用できる。
【００１８】
また、この状態で、布団清掃用吸込具３を前方に移動させると、布団清掃用吸込具３の重量や、電動送風機２２の吸引力で布団Ｆと吸込口２３は密着し始めるが、回転衝撃体５４は、吸着規制片１１より下方に突出しているので、布団Ｆに確実に回転衝撃を与え、表面の塵埃は基よりその内部の塵埃をも浮き上がらせる。そして、回転衝撃体５４の回転が布団Ｆと吸込口２３の密着を防止すると共に、下ケース３３に設けられた概そり状の滑り脚部５３により布団Ｆの表面をスムーズに移動できる。また、回転清掃体６４は布団Ｆの表面と軽く接触するため回転負荷をかけず塵埃を確実に掃き上げ、外気と共に、塵埃通路４４に送り込むことができる。
【００１９】
なお、本発明の主旨を逸脱しない範囲で、さまざまな実施の形態をとることができるものである。例えば、走行車輪７の代わりに、例えば、下ケース３３の底面に形成した滑り脚部５３の如くの概そり状の凸部を形成する形態も採用できる。また、布団用清掃機本体２において、電動送風機２２の排気を、塵埃捕集室１２内に循環させることにより塵埃捕集室１２内を加熱したり、塵埃捕集室１２内をヒーター等の加熱手段で加熱したり、紫外線等の各種光線を塵埃捕集室１２内に照射する事により、布団Ｆ等から捕集したダニ等を確実に死滅させることができる形態も採用できる。また、塵埃捕集室１２内の加熱温度を、６０度程度で所定時間維持させることにより、ダニ等を確実に死滅させることができる。
【産業上の利用可能性】
【００２０】
本発明は、操作用取手の根元部が回動部より被清掃面側に形成されている為、布団清掃用吸込具の操作時に、ホースが使用者の手元に接触する事がないので、布団等の清掃作業を邪魔する事なく、快適な操作性を実現できる布団用清掃機として、広く好適に活用することができる。
【符号の説明】
【００２１】
１  布団用清掃機
２  布団用清掃機本体
３  布団清掃用吸込具
４  接続具Ｂ
５  ホース体
６  接続管
７  走行車輪
８  駆動体
９  回転エルボ
１０  ハンドル
１１  吸着規制片
１２  塵埃捕集室
１３  上ケース
１４  操作用取手
１５  ホース
１６  連結部
１７  接続具Ａ
１９  屈曲部
２２  電動送風機
２３  吸込口
２４  根元部
３２  滑り部
３３  下ケース
３４  回動部
４２  本体スイッチ
４３  吸込具ケース
４４  塵埃通路
５２  ＬＥＤ
５３  滑り脚部
５４  回転衝撃体
６２  切スイッチ
６４  回転清掃体
７２  強弱切替えスイッチ
Ｆ  布団
【図１】
0006598348.tif 000002
【図２】
0006598348.tif 000003
【図３】
0006598348.tif 000004
【図４】
0006598348.tif 000005